(57)【要約】【課題】階段の踏み外しを防止することができるとともに、踏み面の色彩等に違和感が生じ難い階段構造を提供する。【解決手段】階段構造１は、階段状に配置された複数の踏み板１１〜１７を備える。各踏み板１１〜１７の踏み面１１ａ〜１７ａには、階段構造１の上段側から下段側に進むに従って、連続的に変化した色が印刷により配色されている。【選択図】図１
2019138139.tif 000002
【特許請求の範囲】
【請求項１】
階段状に配置された複数の踏み板を少なくとも備えた階段構造であって、
前記各踏み板の踏み面には、前記階段構造の上段側から下段側に進むに従って、連続的に変化した色が、印刷により配色されていることを特徴とする階段構造。
【請求項２】
前記各踏み板の踏み面には、同じ配色がなされていることを特徴とする請求項１に記載の階段構造。
【請求項３】
前記各踏み板の踏み面に配色された色の明度は、前記上段側から前記下段側に進むに従って高くなっていることを特徴とする請求項１または２に記載の階段構造。
【請求項４】
前記階段構造は、前記踏み板同士の間に蹴込み板をさらに備えており、
上段の踏み板と下段の踏み板との間に配置された前記各蹴込み板の前面には、前記下段の踏み板の踏み面の上段側の端部の色と同じ色、または、前記下段の踏み板の踏み面の上段側の端部の色から上方に進むに従って連続的に変化した色が、配色されていることを特徴とする請求項１〜３のいずれか一項に記載の階段構造。
【請求項５】
前記踏み板の段鼻には、前記踏み板の前記踏み面の下段側の端部の色と同じ色、または、前記踏み板の前記踏み面の下段側の端部の色から下方に進むに従って連続的に変化した色が、配色されていることを特徴とする請求項１〜４のいずれか一項に記載の階段構造。
【請求項６】
前記各踏み板の前記踏み面とは反対側の裏面は、視認可能に配置されており、
前記各踏み板の裏面には、前記上段側から前記下段側に進むに従って連続的に変化した色が、配色されていることを特徴とする請求項１〜５のいずれか一項に記載の階段構造。
【請求項７】
前記各踏み板の一対の側面のうちの少なくとも一方の側面は、視認可能に配置されており、
前記各踏み板の視認可能な側面には、前記上段側から前記下段側に進むに従って連続的に変化した色が、配色されていることを特徴とする請求項１〜６のいずれか一項に記載の階段構造。
【請求項８】
前記各踏み板の踏み面には、前記上段側から前記下段側に進むに従って、大きさが単調に変化した複数の同じ形状からなる模様が、前記印刷により付されていることを特徴とする請求項１〜７のいずれか一項に記載の階段構造。
【請求項９】
階段状に配置された複数の踏み板を少なくとも備えた階段構造であって、
前記各踏み板の踏み面には、前記階段構造の上段側から下段側に進むに従って、大きさが単調に変化した複数の同じ形状からなる模様が、印刷により付されていることを特徴とする階段構造。
【発明の詳細な説明】
【技術分野】
【０００１】
本発明は、複数の踏み板を少なくとも備えた階段構造に関する。
【背景技術】
【０００２】
住宅等の建物内に設置される階段構造として、階段状に配置された複数の踏み板および蹴込み板と、これらを左右で固定する側板とを備えた階段構造が知られている。具体的には、このような階段構造では、踏み面となる所要段数の踏み板が、水平姿勢で左右の側板間に上下および前後に所定間隔をあけて段状に差しわたされて取り付けられ、各踏み板間には蹴込み板が、配在されている。
【０００３】
このような階段構造として、たとえば、特許文献１には、踏み面の段鼻側に、他の表面に比べて明度の異なる着色が施されてなる視認部を有した複数の踏み板を備えた階段構造が開示されている。この階段構造によれば、踏み板の踏み面に視認部を設けることにより、各段の踏み面の視認性を高めることができる。
【先行技術文献】
【特許文献】
【０００４】
【特許文献１】特開２００１−２７９９００号公報
【発明の概要】
【発明が解決しようとする課題】
【０００５】
しかしながら、特許文献１に係る階段構造では、各段の踏み板の踏み面の視認性を高めることができるが、踏み板の踏み面のうち視認部が形成された領域の明度が、他の表面の領域の明度とは明らかに異なるため、踏み面全体に対して視認部が明らかに目立ってしまう。これにより、踏み面の色彩に違和感が生じることがある。
【０００６】
本発明は、前記課題を鑑みてなされたものであり、階段の踏み外しを防止することができるとともに、踏み面の色彩等に違和感が生じ難い階段構造を提供することにある。
【課題を解決するための手段】
【０００７】
前記課題を鑑みて、本発明に係る階段構造は、階段状に配置された複数の踏み板を少なくとも備えた階段構造であって、前記各踏み板の踏み面には、前記階段構造の上段側から下段側に進むに従って、連続的に変化した色が、印刷により配色されていることを特徴とする。
【０００８】
本発明によれば、各踏み板の踏み面に、階段構造の上段側から下段側に進むに従って、連続的に変化した色が印刷により配色されているので、階段構造を見下ろした際に、踏み面の色彩に違和感が生じることなく、各踏み板の段鼻側の踏み面の部分を容易に視認することができる。これにより、踏み板の段鼻の視認性を目的とした踏み面の溝加工や樹脂の埋め込みを省略することができる。また、踏み板の視認性が高まるため、歩行者の階段の踏み外しを防止することができる。
【０００９】
本発明でいう「各踏み板の踏み面に、階段構造の上段側から下段側に進むに従って、連続的に変化した色が、印刷により配色されている」とは、踏み面の上段側から下段側（段鼻側）に進むに従って、踏み面の上段側の端部の色から、踏み面の下段側の端部の色に、その色が近づくように（すなわちグラデーションに）配色されていることをいう。具体的には、ＣＩＥ１９７６表色系（ＪＩＳ  Ｚ  ８７２９）に規定されるＬ＊、ａ＊、およびｂ＊において、上段側から下段側に進むに従って、Ｌ＊、ａ＊、ｂ＊を単調に変化させることにより、印刷により、踏み面が配色されていることをいう。なお、Ｌ＊は明度指数であり、ａ＊およびｂ＊は、クロマティクネス指数である。また、「踏み板の段鼻」とは、踏み板の前面（下階側から見て正面となる面）のことをいう。
【００１０】
より好ましい態様としては、前記各踏み板の前記踏み面には、同じ配色がなされている。この態様によれば、各踏み板の踏み面が、同じ配色がなされているので、各踏み面の色彩に統一感があり、色彩に違和感のない階段構造となる。
【００１１】
さらに好ましい態様としては、前記各踏み板の踏み面に配色された色の明度は、前記上段側から前記下段側に進むに従って高くなっている。この態様によれば、各踏み板の踏み面の下段側（すなわち段鼻側）の色の明度が高くなっているので、階段構造を見下ろした際に、各踏み板の段鼻側の踏み面をより鮮明に視認することができ、歩行者が階段をより安全に上り下りすることができる。
【００１２】
さらに好ましい態様としては、前記階段構造は、前記踏み板同士の間に蹴込み板をさらに備えており、上段の踏み板と下段の踏み板との間に配置された前記各蹴込み板の前面には、前記下段の踏み板の踏み面の上段側の端部の色と同じ色、または、前記下段の踏み板の踏み面の上段側の端部の色から上方に進むに従って連続的に変化した色が、配色されている。
【００１３】
この態様によれば、上段の踏み板と下段の踏み板との間に配置された蹴込み板の前面には、下段の踏み板の踏み面の上段側の端部の色と同じ色、または、下段の踏み板の踏み面の上段側の端部の色から上方に進むに従って連続的に変化した色が、配色されているので、蹴込み板の色と、上段の踏み板の段鼻近傍の色との色差が大きくなる。このため、階段構造を下階から見た際に、上段の踏み板の段鼻をより鮮明に視認することができる。
【００１４】
さらに好ましい態様としては、前記踏み板の段鼻には、前記踏み板の前記踏み面の下段側の端部の色と同じ色、または、前記踏み板の前記踏み面の下段側の端部の色から下方に進むに従って連続的に変化した色が、配色されている。
【００１５】
この態様によれば、踏み板の段鼻には、踏み板の踏み面の下段側の端部の色と同じ色、または、踏み板の踏み面の下段側の端部の色から下方に進むに従って連続的に変化した色、が配色されているので、上段の踏み板の段鼻近傍の色と、下段の踏み板の踏み面の上段側の色との色差が大きくなる。このため、階段構造を下階から見た際に、上段の踏み板の段鼻をより鮮明に視認することができる。
【００１６】
さらに好ましい態様としては、前記各踏み板の前記踏み面とは反対側の裏面は、視認可能に配置されており、前記各踏み板の裏面には、前記上段側から前記下段側に進むに従って連続的に変化した色が、配色されている。
【００１７】
この態様によれば、各踏み板の裏面には、上段側から下段側に進むに従って連続的に変化した色が、配色されているので、階段構造を裏側（下側）から見た際に、踏み板の裏面の色彩に違和感が生じることがない。また、各踏み板の段鼻とは反対側の部分を鮮明に視認することができるので、階段構造下の歩行者等が踏み板に頭等をぶつけるのを抑制することができる。
【００１８】
さらに好ましい態様としては、前記各踏み板の一対の側面のうちの少なくとも一方の側面は、視認可能に配置されており、前記各踏み板の視認可能な側面には、前記上段側から前記下段側に進むに従って連続的に変化した色が、配色されている。
【００１９】
この態様によれば、各踏み板の視認可能な側面には、上段側から下段側に進むに従って連続的に変化した色が、配色されているので、階段構造を側方から見た際に、踏み板の側面の色彩に違和感が生じることがない。また、各踏み板の側面を鮮明に視認することができるので、階段構造の横の歩行者等が踏み板に頭等をぶつけるのを抑制することができる。
【００２０】
さらに好ましい態様としては、前記各踏み板の踏み面には、前記上段側から前記下段側に進むに従って、大きさが単調に変化した複数の同じ形状からなる模様が、前記印刷により付されている。
【００２１】
この態様によれば、各踏み板の踏み面に、階段構造の上段側から下段側に進むに従って、大きさが単調に変化した複数の同じ形状からなる模様が印刷により付されているので、階段構造を見下ろした際に、踏み面の模様および色彩に違和感なく、各踏み板の段鼻側における踏み面の部分を容易に視認することができる。
【００２２】
本発明の別の階段構造は、階段状に配置された複数の踏み板を少なくとも備えた階段構造であって、前記各踏み板の踏み面には、前記階段構造の上段側から下段側に進むに従って、大きさが単調に変化した複数の同じ形状からなる模様が、印刷により付されている。
【００２３】
この態様によれば、各踏み板の踏み面に、階段構造の上段側から下段側に進むに従って、大きさが単調に変化した複数の同じ形状からなる模様が印刷により付されているので、階段構造を見下ろした際に、踏み面の模様に違和感なく、各踏み板の段鼻側における踏み面の部分を容易に視認することができる。これに伴い、踏み板の段鼻の視認性を目的とした溝加工や樹脂の埋め込みを省略することができる。また、踏み板の視認性が高まるため、歩行者の階段の踏み外しを防止することができる。
【発明の効果】
【００２４】
本発明の階段構造によれば、階段の踏み外しを防止することができるとともに、踏み面の色彩等に違和感が生じ難い。
【図面の簡単な説明】
【００２５】
【図１】本発明の第１実施形態に係る階段構造の模式的斜視図である。
【図２】図１に示す階段構造の踏み板と蹴込み板との関係を示した模式図である。
【図３】図１に示す階段構造を下階から見た時の模式図である。
【図４】図１に示す階段構造を上階から見下ろした時の模式図である。
【図５】図１に示す第１実施形態の階段構造の変形例の模式的斜視図である。
【図６】本発明の第２実施形態に係る階段構造の模式的斜視図である。
【図７】図６に示す階段構造を下階から見た時の模式図である。
【図８】図６に示す階段構造を上階から見下ろした時の模式図である。
【図９】本発明の第３実施形態に係る階段構造の模式的斜視図である。
【図１０】図９に示す階段構造を下階から見た時の模式図である。
【図１１】本発明の第４実施形態に係る階段構造の模式的斜視図である。
【図１２】図１１に示す階段構造を下階から見た時の模式図である。
【図１３】図１１に示す階段構造を上階から見下ろした時の模式図である。
【図１４】本発明の第５実施形態に係る階段構造の模式的斜視図である。
【図１５】図１４に示す第５実施形態の階段構造の変形例の模式的斜視図であり、階段構造を上側から示す図である。
【図１６】図１５に示す階段構造を下側から示す模式的斜視図である。
【図１７】本発明の第１変形例の階段構造の模式的斜視図である。
【図１８】本発明の第２変形例の階段構造の模式的斜視図である。
【図１９】本発明の第３変形例の階段構造の模式的斜視図である。
【図２０】本発明の第４変形例の階段構造の模式的斜視図である。
【発明を実施するための形態】
【００２６】
以下、図面を参照しながら、本発明のいくつかの実施形態を説明する。
【００２７】
〔第１実施形態〕
図１は、本発明の第１実施形態に係る階段構造１の模式的斜視図である。図２は、図１に示す階段構造１の踏み板１１〜１７と蹴込み板２１〜２７との関係を示した模式図である。図３は、図１に示す階段構造１を下階から見た時の模式図である。図４は、図１に示す階段構造１を上階から見下ろした時の模式図である。図５は、図１に示す第１実施形態の変形例の模式的斜視図である。
【００２８】
図１に示すように、階段構造（階段）１は、住宅等の建物内に設置されるものである。図１に示すように、本実施形態では、７段の段差により構成される階段構造１であるが、後述する色を付すことができるのであれば、その段数は特に限定されるものではない。例えば、本実施形態に係る階段構造１の段数が、一般的な住宅の階段の如く、１３〜１５段であってもよい。
【００２９】
図１および図２に示す階段構造１は、上階と下階とを繋ぐものであり、踏み板１１〜１７および蹴込み板２１〜２７と、これらを固定する一対の側板４１、４２と、を備えている。具体的には、各踏み板１１〜１７は、水平姿勢で左右の側板４１、４２の間に上下および前後に所定間隔をあけて段状に差しわたされて取り付けられ、上段の踏み板と下段の踏み板の間には蹴込み板が配在されている。蹴込み板２１〜２７も、左右の側板４１、４２の間に差しわたされるとともに、下段の踏み板の踏み面から上段の踏み板裏面まで上下方向に延在するように、取り付けられている。
【００３０】
踏み板１１〜１７、蹴込み板２１〜２７、および側板４１、４２の材料は、後述するように、色を付す箇所の表面に、インクジェット印刷などの印刷を行うことができるのであれば、特に限定されるものではない。本実施形態では、これらの材料は、木質系材料からなり、木質系材料としては、無垢材、パーティクルボード（ＰＢ）、木質繊維板（インシュレーションボード・ハードボード、ＭＤＦなど）、配向性ストランドボード（ＯＳＢ）、ＬＶＬ、集成材、または、これらを積層したものなどを挙げることができ、これらの材料を基材として、その表面に化粧材が被覆されていてもよい。
【００３１】
化粧材の材料としては、印刷可能な表面を有した材料であれば特に限定されるものではなく、たとえば、熱可塑性樹脂などからなる樹脂シート、クラフト紙などの紙材、クラフト紙にメラミン樹脂が含浸された含浸紙、または木質系の化粧単板などを挙げることができる。化粧単板としては、たとえば、ビーチ、オーク、メイプル、ケヤキ、ウォールナット、シナ、ナラ、ヤチダモ、キリ、ヒノキ、スギ、マホガニー、チーク、ローズウッド、トチ、クロガキ、シオジ、ニレ、カバ、シタン、またはコクタンなどを挙げることができる。化粧単板である場合には、０．１〜１．０ｍｍ程度の突板などが用いられる。
【００３２】
本実施形態では、各踏み板１１〜１７の踏み面１１ａ〜１７ａには、階段構造１の上段側から下段側に進むに従って、連続的に変化した色が印刷により配色（着色）されている。さらに、各踏み板１１〜１７の踏み面１１ａ〜１７ａに配色された色は、上段側から下段側に進むに従って、配色された色の明度（具体的には後述するＬ＊値）が高くなっている。
【００３３】
本実施形態では、各踏み板１１〜１７の各踏み面１１ａ〜１７ａの上段側の端部１１ｃ〜１７ｃの色は、第１の色であり、下段側（段鼻１１ｂ〜１７ｂ側）の端部１１ｄ〜１７ｄの色は、第１の色と異なる第２の色であり、第２の色は、第１の色よりも明度が高い。したがって、各踏み板１１〜１７の踏み面１１ａ〜１７ａには、階段構造１の上段側から下段側に進むに従って、第１の色から第２の色に変化した色（グラデーションとなる色）が配色されている。
【００３４】
本実施形態では、各踏み板１１〜１７の踏み面１１ａ〜１７ａには、同じ配色がなされている。すなわち、踏み面１１ａ〜１７ａの色彩に区別は無い。これにより、各踏み面１１ａ〜１７ａの色彩に統一感があり、色彩に違和感のない階段構造１となる。
【００３５】
ここで、第１の色と第２の色とは、異なる色であり、第１の色と第２の色とが無彩色である場合には、ＣＩＥ１９７６表色系（ＪＩＳ  Ｚ  ８７２９）に規定されるＬ＊、ａ＊、ｂ＊において、第１の色と第２の色との色差△Ｅが、１０〜１００であることが好ましい。
【００３６】
また、第１の色と第２の色とが有彩色である場合には、第１の色と第２の色との色差△Ｅが、１０〜５０であることが好ましく、より好ましくは、１３〜２６である。第１の色と第２の色との色差△Ｅが、このような範囲を満たせば、いわゆる同色系の範囲となる場合が有り、各踏み面１１ａ〜１７ａの色の変化を、自然な色の変化の如く視認することができる。
【００３７】
なお、上述したＬ＊、ａ＊、ｂ＊で規定される表色系において、Ｌ＊値は明度指数であって、大きいほど明るく、小さいほど暗い。ａ＊値は赤緑間の知覚色度（クロマティクネス）指数であって、この値が大きいほど赤みが強く、小さいほど緑みが強い。ｂ＊値は黄青間の知覚色度指数であって、大きいほど黄みが強く、小さいほど青みが強い。
【００３８】
たとえば、本実施形態では、その一例として、第１の色と第２の色とが無彩色であり、第１の色が黒色であり、第２の色が白色である。したがって、上述した表色系で説明すると、第１の色は、Ｌ＊＝０、ａ＊＝０、ｂ＊＝０、第２の色は、Ｌ＊＝１００、ａ＊＝０、ｂ＊＝０等で表すことができ、第１の色と第２の色との色差△Ｅは、１００となる。
【００３９】
したがって、各踏み板１１〜１７の踏み面１１ａ〜１７ａに配色される色は、各踏み板１１〜１７の踏み面１１ａ〜１７ａの上段側の端部１１ｃ〜１７ｃから、下段側（段鼻１１ｂ〜１７ｂ側）の端部１１ｄ〜１７ｄに進むに従って、白味を帯びた色となる。
【００４０】
具体的には、各踏み板１１〜１７の踏み面１１ａ〜１７ａに配色される色は、各踏み板１１〜１７の踏み面１１ａ〜１７ａの上段側の端部１１ｃ〜１７ｃから、下段側（段鼻１１ｂ〜１７ｂ側）の端部１１ｄ〜１７ｄに進むに従って、Ｌ＊値が、０から１００に単調増加しながら連続して変化している。
【００４１】
なお、各踏み面１１ａ〜１７ａのａ＊、ｂ＊の値は、略同じで変化がない、または、変化があったとしても、目視では、これらのパラメータによる色の変化がほとんど視認できない程度である。
【００４２】
この他の例として、第１の色と第２の色とが有彩色であり、たとえば、第１の色がこげ茶色であり、第２の色が赤茶色である場合には、各踏み板１１〜１７の踏み面１１ａ〜１７ａに配色される色は、各踏み板１１〜１７の踏み面１１ａ〜１７ａの上段側の端部１１ｃ〜１７ｃから、下段側（段鼻１１ｂ〜１７ｂ側）の端部１１ｄ〜１７ｄに進むに従って、赤味を帯びた明るい茶色となる。
【００４３】
具体的には、各踏み板１１〜１７の踏み面１１ａ〜１７ａの上段側の端部１１ｃ〜１７ｃの第１の色が、こげ茶色であり、踏み面１１ａ〜１７ａの下段側（段鼻１１ｂ〜１７ｂ側）の端部１１ｄ〜１７ｄの第２の色が赤茶色である場合には、第１の色は、Ｌ＊＝１８、ａ＊＝２５、ｂ＊＝１３であり、第２の色は、Ｌ＊＝３６、ａ＊＝４６、ｂ＊＝４９等で表すことができ、この場合には、第１の色と第２の色との色差△Ｅは、４５となる。 
【００４４】
したがって、各踏み板１１〜１７の踏み面１１ａ〜１７ａに配色される色は、踏み面１１ａ〜１７ａの上段側の端部１１ｃ〜１７ｃから下段側（段鼻１１ｂ〜１７ｂ側）の端部１１ｄ〜１７ｄに進むに従って、第１の色のＬ＊、ａ＊、ｂ＊の値から、第２の色のＬ＊、ａ＊、ｂ＊の値に近づくように、連続して単調増加するように変化している。
【００４５】
さらに、本実施形態では、階段構造１は、下段の踏み板１１と上段の踏み板１２との間に配置された蹴込み板２２の前面２２ａには、下段の踏み板１１の踏み面１１ａの上段側の端部１１ｃの色と同じ色が配色されている。本実施形態では、第１の色が黒色であったので、蹴込み板２２の前面２２ａも同じ黒色が配色されている。同様に、踏み板１２と踏み板１３の間の蹴込み板２３、踏み板１３と踏み板１４の間の蹴込み板２４、踏み板１６と踏み板１７の間の蹴込み板２７も同様に黒色が配色されている。
【００４６】
なお、図５に示す変形例のように、階段構造１は、下段の踏み板１１と上段の踏み板１２との間に配置された蹴込み板２２の前面２２ａに、上段の踏み板１２の段鼻１２ｂの色と同じ色が配色されていてもよい。この変形例では、第２の色が白色であったので、蹴込み板２２の前面２２ａも同じ白色が配色されている。同様に、踏み板１２と踏み板１３の間の蹴込み板２３、踏み板１３と踏み板１４の間の蹴込み板２４、踏み板１６と踏み板１７の間の蹴込み板２７も同様に白色が配色されている。これにより、階段１を下階から見た時に、踏み板１１〜１７と、蹴込み板２１〜２７との色彩の調和を図ることができる。
【００４７】
このように、本実施形態では、図１、図３、図４、および図５に示すように、各踏み板１１〜１７の踏み面１１ａ〜１７ａに、階段構造１の上段側から下段側に進むに従って、連続的に変化した色が印刷により配色されている。したがって、図４に示すように、階段構造１を上階から見下ろした際に、各踏み板１１〜１７の段鼻１１ｂ〜１７ｂを容易に視認することができるので、階段を下りる際に踏み板１１〜１７の踏み外しを防止することができるとともに、踏み面の色彩に違和感が生じ難い。
【００４８】
特に、本実施形態では、各踏み板１１〜１７の踏み面１１ａ〜１７ａの下段側（すなわち段鼻１１ｂ〜１７ｂ側）の明度が高くなっているので、階段構造１を上階から見下ろした際に、各踏み板１１〜１７の段鼻１１ｂ〜１７ｂ側の踏み面１１ａ〜１７ａの領域をより鮮明に視認することができ、歩行者が階段をより安全に下りることができる。
【００４９】
さらに、本実施形態では、下段の踏み板１１と上段の踏み板１２との間に配置された蹴込み板２２の前面２２ａに、下段の踏み板１１の踏み面１１ａの上段側の端部１１ｃの色と同じ色（具体的には黒色）を配色した。したがって、階段構造１を下階から見た際に、蹴込み板２２の色と、上段の踏み板１２の段鼻１２ｂ近傍の踏み面１２ａの色との色差△Ｅが大きくなるため、上段の踏み板１２の段鼻１２ｂをより鮮明に視認することができる。その他の蹴込み板２３〜２７の前面２３ａ〜２７ａの配色も同様にしたので、踏み板１３〜１７の段鼻１３ｂ〜１７ｂも、同様に鮮明に視認することができる。
【００５０】
なお、本実施形態では、蹴込み板２２の前面２２ａには、下段の踏み板１１の踏み面１１ａの上段側の端部１１ｃの色と同じ色を配色したが、たとえば、下段の踏み板１１の踏み面１１ａの上段側の端部１１ｃの色から、上方に進むに従って連続的に変化した色が、配色されていてもよい。蹴込み板２３〜２７の前面２３ａ〜２７ａも同様である。
【００５１】
このような場合、たとえば、蹴込み板２２の前面２２ａに、上方に進むに従って、踏み板１２の踏み面１２ａの下段側の端部１２ｄの色に対して色差△Ｅが大きくなるように、連続的に変化した色を配色することが好ましい。蹴込み板２３〜２７の前面２３ａ〜２７ａも同様である。
【００５２】
たとえば、下段の踏み板１１の踏み面１１ａの上段側の端部１１ｃの色（第１の色）が、灰色である場合には、蹴込み板２２の前面２２ａに、上方に進むに従って、（例えば、Ｌ＊が小さくなるように）より黒味の帯びた灰色を配色する。たとえば、下段の踏み板１１の踏み面１１ａの上段側の端部１１ｃの色（第１の色）が、こげ茶色などの有彩色である場合には、蹴込み板２２の前面２２ａに、上方に進むに従って、（例えば、Ｌ＊が小さくなるように）より黒味の帯びたこげ茶色を配色する。
【００５３】
これにより、階段構造１を下階から見た際に、蹴込み板２２の上側の色と、上段の踏み板１２の段鼻１２ｂ近傍の踏み面１２ａの色との色差△Ｅがより大きくなるため、上段の踏み板１２の段鼻１２ｂをより鮮明に視認することができ、踏み板１３〜１７の段鼻１３ｂ〜１７ｂも、同様に鮮明に視認することができる。
【００５４】
なお、各踏み板１１〜１７の踏み面１１ａ〜１７ａには、上述した色が、印刷により、均一に配色されていてもよく、例えば、木目模様などの模様とともに上述した色が、印刷により配色されていてもよい。さらに、上述した色が付された踏み面１１ａ〜１７ａに、光透過性樹脂からなる保護層がさらに形成されていてもよい。
【００５５】
本実施形態では、各踏み板１１〜１７の踏み面１１ａ〜１７ａ、各蹴込み板２１〜２７に対して、紫外線硬化型のインクを、未硬化の状態でインクジェット印刷により粒状に付着させて、上述した色を配色する。本実施形態では、インクジェット印刷を行うことにより、たとえば、ロールコータによる着色、スプレー塗装による着色などに比べて、極めて簡単に、上述した色を印刷領域に付すことができる。
【００５６】
具体的には、インクジェット印刷に使用される紫外線硬化型のインクは、反応性オリゴマーまたは反応性モノマーに光重合開始剤が添加された紫外線硬化型樹脂と、着色剤とを少なくとも含む。たとえばイエロー、マゼンダ、シアン、およびブラックの４色の着色剤を、前記紫外線硬化型樹脂に個別に含有した４種のインクを準備し、これらのインクを用いて、各踏み面１１ａ〜１７ａに印刷し、踏み面１１ａ〜１７ａに上述した色を配色する。
【００５７】
各踏み面１１ａ〜１７ａからなる印刷領域の印刷は以下のようにして行うことができる。まず、予め第１の色から第２の色まで色が変化したグラデーションの画像等を準備する。この画像を、各踏み面１１ａ〜１７ａに割り当て、割り当てられた画像に応じて、インクジェット印刷により各踏み面１１ａ〜１７ａに対して印刷を行う。
【００５８】
インクジェット印刷はインクジェットプリンタにより行われる。インクジェットプリンタは、一般的な印刷に用いられるインクを収容し、印刷すべき木目模様等の所定の模様および色に合わせて各インクを個別に噴射するヘッドと、踏み板１１〜１７を送るフィーダとを備えている。また、この他にも、踏み板１１〜１７を吸着固定し、ヘッドのみを移動させて印刷を行ってもよい。
【００５９】
インクジェットプリンタは、各踏み板１１〜１７の踏み面１１ａ〜１７ａに対して略直交した方向からヘッドで噴射しながら、フィーダで各踏み板１１〜１７を所定方向に送り、踏み面１１ａ〜１７ａに上述した色を付し、これにより、未硬化の印刷層（図示せず）を得る。未硬化の印刷層に対して、紫外線を照射することにより、印刷層を硬化させる。必要に応じて、印刷層を保護すべく、印刷層の表面に光透過性樹脂を塗装してもよく、光透過性樹脂からなるシート材をラミネートしてもよい。
【００６０】
本実施形態では、紫外線硬化型のインクを用いたが、踏み面１１ａ〜１７ａの色を保持することができるのであれば、水性系インク、溶剤系インク、またはラテックス系インクなどであってもよい。
【００６１】
〔第２実施形態〕
図６は、本発明の第２実施形態に係る階段構造１の模式的斜視図である。図７は、図６に示す階段構造１を下階から見た時の模式図である。図８は、図６に示す階段構造１を上階から見下ろした時の模式図である。第１実施形態のものと相違する点は、踏み面１１ａ〜１７ａの配色であり、蹴込み板２１〜２７の前面２１ａ〜２７ａには、印刷により色を配色せず、踏み板１１〜１７の段鼻１１ｂ〜１７ｂに配色した点である。したがって、本実施形態では、この相違点を主に説明し、他の構成の説明は省略する。
【００６２】
本実施形態では、各踏み板１１〜１７の踏み面１１ａ〜１７ａには、階段構造１の上段側から下段側に進むに従って、連続的に変化した色が印刷により配色（着色）されている。さらに、各踏み板１１〜１７の踏み面１１ａ〜１７ａに配色された色は、第１実施形態とは異なり、上段側から下段側に進むに従って、配色された色の明度（具体的にはＬ＊値）が低くなっている。これにより、階段構造１を見下ろした際に、各踏み板１１〜１７の段鼻１１ｂ〜１７ｂを容易に視認することができるので、階段を上り下りする際に踏み板１１〜１７の踏み外しを防止することができるとともに、踏み面１１ａ〜１７ａの色彩に違和感が生じ難い。
【００６３】
本実施形態では、各踏み板１１〜１７の踏み面１１ａ〜１７ａの上段側の端部１１ｃ〜１７ｃの色は、第１の色としてたとえば白色であり、下段側（段鼻１１ｂ〜１７ｂ側）の端部１１ｄ〜１７ｄの色は、第１の色と異なる第２の色としてたとえば黒色である。
【００６４】
図６に示すように、各踏み板１１〜１７の段鼻１１ｂ〜１７ｂには、踏み板１１〜１７の踏み面１１ａ〜１７ａの下段側の端部１１ｄ〜１７ｄの色と同じ色（黒色）が配色してある。
【００６５】
これにより、図７に示すように、階段構造１を下階から見た際に、たとえば、上段の踏み板１２の段鼻１２ｂ近傍の色と、下段の踏み板１１の踏み面１１ａの上段側の色との色差△Ｅが大きくなるため、上段の踏み板１２の段鼻１２ｂをより鮮明に視認することができる。その他の段鼻１３ｂ〜１７ｂの配色も同様にしたので、踏み板１３〜１７の段鼻１３ｂ〜１７ｂも、同様に鮮明に視認することができる。
【００６６】
なお、本実施形態では、踏み板１１〜１７の段鼻１１ｂ〜１７ｂに、踏み板１１〜１７の踏み面１１ａ〜１７ａの下段側の端部１１ｄ〜１７ｄの色と同じ色（黒色）を配色したが、たとえば、踏み板１１〜１７の段鼻１１ｂ〜１７ｂに、踏み板１１〜１７の踏み面１１ａ〜１７ａの下段側の端部１１ｄ〜１７ｄの色から、下方に進むに従って連続的に変化した色が配色されていてもよい。
【００６７】
このような場合、段鼻１１ｂ〜１７ｂに、下方に進むに従って、踏み板１１〜１７の踏み面１１ａ〜１７ａの下段側の端部１１ｄ〜１７ｄの色に対して色差△Ｅが大きくなるように、連続的に変化した色を配色することが好ましい。
【００６８】
たとえば、踏み板１１〜１７の踏み面１１ａ〜１７ａの下段側の端部１１ｄ〜１７ｄの色（第２の色）が、灰色である場合には、段鼻１１ｂ〜１７ｂに、下方に進むに従って、より白味の帯びた灰色（例えば、よりＬ＊値が大きくなる色）を配色する。たとえば、踏み板１１〜１７の踏み面１１ａ〜１７ａの下段側の端部１１ｄ〜１７ｄの色（第２の色）が、こげ茶色などの有彩色である場合には、段鼻１１ｂ〜１７ｂに、下方に進むに従って、より明るい茶色（例えば、よりＬ＊値が大きくなる色）を配色する。
【００６９】
これにより、階段構造１を下階から見た際に、段鼻１１ｂ〜１７ｂの色が際立つため、踏み板１１〜１７の段鼻１１ｂ〜１７ｂをより鮮明に視認することができる。
【００７０】
〔第３実施形態〕
図９は、本発明の第３実施形態に係る階段構造１の模式的斜視図である。図１０は、図９に示す階段構造１を下階から見た時の模式図である。第３実施形態に係る階段構造１が、第１実施形態のものと相違する点は、段鼻および蹴込み板の前面の配色である。したがって、本実施形態では、この相違点を主に説明し、他の構成の説明は省略する。
【００７１】
本実施形態では、踏み板１１〜１７の段鼻１１ｂ〜１７ｂと、蹴込み板２１〜２７の前面２１ａ〜２７ａが、下方に進むに従って、踏み板１１〜１７の下段側（段鼻１１ｂ〜１７ｂ側）の端部１１ｄ〜１７ｄの色（第２の色）から、踏み板１１〜１７の上段側の端部１１ｃ〜１７ｃの色（第１の色）に近づくように、連続して変化した色が配色されている。
【００７２】
これにより、図１０に示すように、階段構造１は、自然な色彩となり、階段構造１を下階から見た際に、段鼻１１ｂ〜１７ｂの色が際立ち、これをより鮮明に視認することができる。
【００７３】
〔第４実施形態〕
図１１は、本発明の第４実施形態に係る階段構造の模式的斜視図である。図１２は、図１１に示す階段構造を下階から見た時の模式図である。図１３は、図１１に示す階段構造を上階から見下ろした時の模式図である。第４実施形態に係る階段構造１が、第１実施形態のものと相違する点は、踏み板に模様を付した点である。したがって、本実施形態では、この相違点を主に説明し、他の構成の説明は省略する。
【００７４】
本実施形態では、階段構造１の各踏み板１１〜１７の踏み面１１ａ〜１７ａには、階段構造１の上段側から下段側に進むに従って、大きさが単調に変化した複数の同じ形状からなる模様が印刷により付されている。
【００７５】
具体的には、本実施形態では、各踏み板１１〜１７の踏み面１１ａ〜１７ａに付される形は、円形状からなる模様であり、階段構造１の上段側から下段側に進むに従って、その円形状が大きくなっている。本実施形態では、円形状からなる模様であったが、たとえば、多角形、楕円であってもよく、太さが変化する線であってもよく、階段構造１の上段側から下段側に進むに従って、その形状の大きさが小さくなってもよい。
【００７６】
本実施形態によれば、各踏み板１１〜１７の踏み面１１ａ〜１７ａに、階段構造１の上段側から下段側に進むに従って、大きさが単調に変化した複数の同じ形状からなる模様が印刷により、同一色で付されているので、図１２および図１３に示すように、階段構造１を見下ろした際に、各踏み板１１〜１７の段鼻側における踏み面１１ａ〜１７ａを容易に視認することができる。この結果、階段を上り下りする際に踏み板の踏み外しを防止することができるとともに、踏み面１１ａ〜１７ａの模様に違和感が生じ難い。
【００７７】
また、各踏み板１１〜１７の踏み面１１ａ〜１７ａには、階段構造１の上段側から下段側に進むに従って、大きさが単調に変化した（単調に大きくなるように変化した）同じ模様が、印刷により付されているので、各踏み面１１ａ〜１７ａの模様に統一感があり、違和感のない階段構造となる。本実施形態では、踏み面１１ａ〜１７ａの模様は、同一色で付されているが、たとえば、第１または第２実施形態の如く、この模様に付された配色を変化させてもよい。
【００７８】
〔第５実施形態〕
図１４は、本発明の第５実施形態に係る階段構造の模式的斜視図である。図１５は、図１４に示す第５実施形態の階段構造の変形例の模式的斜視図であり、階段構造を上側から示す図である。図１６は、図１５に示す階段構造を下側から示す模式的斜視図である。第５実施形態に係る階段構造１が、第１実施形態のものと相違する点は、一対の側板４１、４２および蹴込み板２１〜２７が設けられていない点である。したがって、本実施形態では、この相違点を主に説明し、他の構成の説明は省略する。なお、本実施形態では、８段の段差により階段構造が構成されている。
【００７９】
本実施形態では図１４に示すように、階段構造１には一対の側板４１、４２および蹴込み板２１〜２７が設けられていない。本実施形態の階段構造１は、いわゆる片持ち階段であり、各踏み板１１〜１８は、長手方向（階段幅方向）の一方端が壁５０に支持されている。より具体的には、各踏み板１１〜１８の一方端は、壁５０内に設けられた支持体（図示せず）に固定されている。
【００８０】
本実施形態では、上記第１実施形態と同様、各踏み板１１〜１８の踏み面１１ａ〜１８ａには、階段構造１の上段側から下段側に進むに従って、連続的に変化した色が印刷により配色されている。これにより、階段構造１を見下ろした際に、各踏み板１１〜１８の段鼻１１ｂ〜１８ｂを容易に視認することができるので、階段を上り下りする際に踏み板１１〜１８の踏み外しを防止することができるとともに、踏み面１１ａ〜１８ａの色彩に違和感が生じ難い。
【００８１】
なお、一対の側板４１、４２を設けない場合、図１４に示したように各踏み板１１〜１８の側面１１ｅ〜１８ｅ及び裏面（踏み面１１ａ〜１８ａとは反対側の面）は、視認可能となる。
【００８２】
そこで、図１５および図１６に示す変形例のように、各踏み板１１〜１８の視認可能な側面１１ｅ〜１８ｅには、上段側から下段側に進むに従って連続的に変化した色が、配色されている。本実施形態では、各側面１１ｅ〜１８ｅには、踏み面１１ａ〜１８ａと同様、上段側から下段側に進むに従って、明度が高くなるように配色されている。
【００８３】
このように、本実施形態では、各踏み板１１〜１８の視認可能な側面１１ｅ〜１８ｅには、上段側から下段側に進むに従って連続的に変化した色が、配色されているので、階段構造１を側方から見た際に、踏み板１１〜１８の側面１１ｅ〜１８ｅの色彩に違和感が生じることがない。また、各踏み板１１〜１８の側面１１ｅ〜１８ｅを鮮明に視認することができるので、階段構造１の横の歩行者等が踏み板１１〜１８に頭等をぶつけるのを抑制することができる。
【００８４】
また、各踏み板１１〜１８の裏面１１ｆ〜１８ｆには、上段側から下段側に進むに従って連続的に変化した色が、配色されている。本実施形態では、各裏面１１ｆ〜１８ｆには、踏み面１１ａ〜１８ａと同様、上段側から下段側に進むに従って、明度が高くなるように配色されている。
【００８５】
このように、本実施形態では、各踏み板１１〜１８の裏面１１ｆ〜１８ｆには、上段側から下段側に進むに従って連続的に変化した色が、配色されているので、階段構造１を裏側（下側）から見た際に、踏み板１１〜１８の裏面１１ｆ〜１８ｆの色彩に違和感が生じることがない。また、各踏み板１１〜１８の後部（段鼻とは反対側の部分）を鮮明に視認することができるので、階段構造１の下の歩行者等が踏み板１１〜１８に頭等をぶつけるのを抑制することができる。
【００８６】
また、各踏み板１１〜１８の後面（段鼻とは反対側の面）１１ｇ〜１８ｇには、踏み面１１ａ〜１８ａの上段側の端部１１ｃ〜１８ｃの色と同じ色（黒色）が配色されている。これにより、後面１１ｇ〜１８ｇと他の面（踏み面１１ａ〜１８ａ等）との色彩に統一感を持たせることができる。
【００８７】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００８８】
たとえば、第１実施形態では、蹴込み板に色を配色し、踏み板の段鼻には色を配色していないが、たとえば、第２実施形態で示したように、踏み板の段鼻に色を配色してもよい。
【００８９】
第４実施形態では、踏み面に、階段構造の上段側から下段側に進むに従って、大きさが単調に変化した複数の同じ形状からなる模様を付したが、例えば同じ形状および同じ大きさの複数の図形（線を含む）を、階段構造の上段側から下段側に進むに従って、これらの間隔が単調に変化するように配列した模様を、踏み板の踏み面に付してもよい。
【００９０】
また、第５実施形態では、側板４１、４２が設けられていない階段構造１として、片持ち階段を例にして説明したが、本発明はこれに限らない。例えば、図１７に示す本発明の第１変形例の階段構造１のように、踏み板１１〜１５と、踏み板１１〜１５を支持する一対のササラ桁６１、６２と、を含むササラ桁階段であってもよい。また、図１８に示す本発明の第２変形例の階段構造１のように、踏み板１１〜１５と、踏み板１１〜１５を支持する力桁６３と、を含む力桁階段であってもよい。また、図１９に示す本発明の第３変形例の階段構造１のように、円弧状の踏み板１１〜２０と、踏み板１１〜２０を支持する支柱６４と、を含む螺旋階段であってもよい。また、図２０に示す本発明の第４変形例の階段構造１のように、片持ち階段を構成する各踏み板１１〜１９の壁５０とは反対側の端部を吊り材６５によって支持する吊り階段であってもよい。また、図示しないが、踏み板の下に引き出し等の箱型の収納部を備えた箱階段であってもよい。
【００９１】
また、第５実施形態では、各踏み板１１〜１８の一方の側面１１ｅ〜１８ｅのみが視認可能となっているため、一方の側面１１ｅ〜１８ｅのみに上段側から下段側に進むに従って連続的に変化した色が配色されている例について説明したが、本発明はこれに限らない。例えば、図１７または図１８に示した階段構造１のように各踏み板１１〜１８の両方の側面が視認可能となっている場合には、各踏み板１１〜１８の両方の側面に上段側から下段側に進むに従って連続的に変化した色が配色されていることが好ましい。すなわち、各踏み板の６面（踏み面、裏面、段鼻、後面、一対の側面）の全てが、印刷により配色されていてもよい。
【００９２】
また、第１〜第４実施形態では、階段構造１に蹴込み板２１〜２７を設ける例について示したが、本発明はこれに限らない。側桁４１、４２を備えた階段構造１に蹴込み板２１〜２７を設けなくてもよい。
【００９３】
逆に、第５実施形態および図１７〜図２０の変形例において、蹴込み板が設けられていてもよい。この場合、蹴込み板の側面および後面（上段側の面）は、視認可能となる。このため、蹴込み板の側面および後面も、例えば蹴込み板の前面と同様に配色されていてもよい。
【００９４】
また、上述した実施形態および変形例の構成を適宜組み合わせて得られる構成についても、本発明の技術的範囲に含まれる。
【符号の説明】
【００９５】
１：階段構造、１１〜２０：踏み板、１１ａ〜１８ａ：踏み面、１１ｂ〜１８ｂ：段鼻、１１ｃ〜１８ｃ：上段側の踏み面の端部、１１ｄ〜１７ｄ：下段側の踏み面の端部、１１ｅ〜１８ｅ：側面、１１ｆ〜１８ｆ：裏面、２１〜２７：蹴込み板、２１ａ〜２７ａ：蹴込み板２１〜２７の前面、４１，４２：側板
【図１】
2019138139.tif 000003
【図２】
2019138139.tif 000004
【図３】
2019138139.tif 000005
【図４】
2019138139.tif 000006
【図５】
2019138139.tif 000007
【図６】
2019138139.tif 000008
【図７】
2019138139.tif 000009
【図８】
2019138139.tif 000010
【図９】
2019138139.tif 000011
【図１０】
2019138139.tif 000012
【図１１】
2019138139.tif 000013
【図１２】
2019138139.tif 000014
【図１３】
2019138139.tif 000015
【図１４】
2019138139.tif 000016
【図１５】
2019138139.tif 000017
【図１６】
2019138139.tif 000018
【図１７】
2019138139.tif 000019
【図１８】
2019138139.tif 000020
【図１９】
2019138139.tif 000021
【図２０】
2019138139.tif 000022